(57)【特許請求の範囲】
【請求項１】
再生経路情報を複数保持しているホストコンピュータと、前記再生経路情報および音楽データを記録媒体に記録する記録装置とを備え、前記再生経路情報および前記音楽データは該記録媒体から再生され、かつ、前記記録媒体に記録されている前記再生経路情報の再生順序に従って前記記録媒体に記録されている前記音楽データを再生する配信システムであって、
前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、
前記記録装置は、
前記再生経路情報または前記音楽データの取得要求をユーザから受け付ける入力部と、
前記再生経路情報および前記音楽データを外部から取得する通信部と、
前記再生経路情報と前記音楽データを前記記録媒体に記録する記録部と、
前記再生経路情報と前記音楽データを外部から取得し、前記記録媒体に記録することを制御する制御部と、
を備え、
前記入力部を通じて特定の前記再生経路情報の取得要求があった場合には、前記制御部は、前記ホストコンピュータと通信を行い所望の前記再生経路情報を取得するように前記通信部を制御するとともに、取得した前記再生経路情報を前記記録媒体に記録するように前記記録部を制御し、
前記入力部を通じて前記記録媒体に記録されている前記再生経路情報における特定の前記音楽データの取得要求があった場合には、前記制御部は、前記再生経路情報内の前記アドレス情報に基づいて外部から所望の前記音楽データを取得するように前記通信部を制御するとともに、取得した前記音楽データを前記記録媒体に記録するように前記記録部を制御する、配信システム。
【請求項２】
再生経路情報を複数保持しているホストコンピュータと、前記再生経路情報および音楽データを記録媒体に記録する記録装置とを備え、前記再生経路情報および前記音楽データは該記録媒体から再生されかつ、前記記録媒体に記録されている前記再生経路情報の再生順序に従って前記記録媒体に記録されている前記音楽データを再生する配信システムにおける記録装置であって、
前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、
前記記録装置は、
前記再生経路情報または前記音楽データの取得要求をユーザから受け付ける入力部と、
前記再生経路情報および前記音楽データを外部から取得する通信部と、
前記再生経路情報と前記音楽データを前記記録媒体に記録する記録部と、
前記再生経路情報と前記音楽データを外部から取得し、前記記録媒体に記録することを制御する制御部と、
を備え、
前記入力部を通じて特定の前記再生経路情報の取得要求があった場合には、前記制御部は、前記ホストコンピュータと通信を行い所望の前記再生経路情報を取得するように前記通信部を制御するとともに、取得した前記再生経路情報を前記記録媒体に記録するように前記記録部を制御し、
前記入力部を通じて前記記録媒体に記録されている前記再生経路情報における特定の前記音楽データの取得要求があった場合には、前記制御部は、前記再生経路情報内の前記アドレス情報に基づいて外部から所望の前記音楽データを取得するように前記通信部を制御するとともに、取得した前記音楽データを前記記録媒体に記録するように前記記録部を制御する、記録装置。
【請求項３】
再生経路情報を複数保持しているホストコンピュータと、前記再生経路情報および音楽データを記録媒体に記録する記録装置とを備え、前記再生経路情報および前記音楽データは該記録媒体から再生されかつ、前記記録媒体に記録されている前記再生経路情報の再生順序に従って前記記録媒体に記録されている前記音楽データを再生する配信システムにおいて、記録装置に適用される記録方法であって、
前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、
前記記録方法は、
前記再生経路情報または前記音楽データの取得要求をユーザから受け付ける入力ステップと、
前記再生経路情報および前記音楽データを外部から取得する通信ステップと、
前記再生経路情報と前記音楽データを前記記録媒体に記録する記録ステップと、
前記再生経路情報と前記音楽データを外部から取得し、前記記録媒体に記録することを制御する制御ステップと、
を含み、
前記入力ステップを通じて特定の前記再生経路情報の取得要求があった場合には、前記制御ステップは、前記ホストコンピュータと通信を行い所望の前記再生経路情報を取得するように前記通信ステップを制御するとともに、取得した前記再生経路情報を前記記録媒体に記録するように前記記録ステップを制御し、
前記入力ステップを通じて前記記録媒体に記録されている前記再生経路情報における特定の前記音楽データの取得要求があった場合には、前記制御ステップは、前記再生経路情報内の前記アドレス情報に基づいて外部から所望の前記音楽データを取得するように前記通信ステップを制御するとともに、取得した前記音楽データを前記記録媒体に記録するように前記記録ステップを制御する、記録方法。
【請求項４】
再生経路情報を複数保持しているホストコンピュータと、前記再生経路情報および音楽データを記録媒体に記録する記録装置とを備え、前記再生経路情報および前記音楽データは該記録媒体から再生されかつ、前記記録媒体に記録されている前記再生経路情報の再生順序に従って前記記録媒体に記録されている前記音楽データを再生する配信システムにおいて、記録装置に適用される記録プログラムをコンピュータに行わせるプログラムを格納したプログラム格納媒体であって、
前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、
前記記録プログラムは、
前記再生経路情報または前記音楽データの取得要求をユーザから受け付ける入力ステップと、
前記再生経路情報および前記音楽データを外部から取得する通信ステップと、
前記再生経路情報と前記音楽データを前記記録媒体に記録する記録ステップと、
前記再生経路情報と前記音楽データを外部から取得し、前記記録媒体に記録することを制御する制御ステップと、
を含み、
前記入力ステップを通じて特定の前記再生経路情報の取得要求があった場合には、前記制御ステップは、前記ホストコンピュータと通信を行い所望の前記再生経路情報を取得するように前記通信ステップを制御するとともに、取得した前記再生経路情報を前記記録媒体に記録するように前記記録ステップを制御し、
前記入力ステップを通じて前記記録媒体に記録されている前記再生経路情報における特定の前記音楽データの取得要求があった場合には、前記制御ステップは、前記再生経路情報内の前記アドレス情報に基づいて外部から所望の前記音楽データを取得するように前記通信ステップを制御するとともに、取得した前記音楽データを前記記録媒体に記録するように前記記録ステップを制御する、プログラム格納媒体。
【発明の詳細な説明】
【０００１】
【発明の属する技術分野】
本発明は、音声情報や映像情報を有するディジタルデータを書き換え可能な状態で記録する記録媒体とその記録装置およびその再生装置に関する。
【０００２】
【従来の技術】
書き換え可能な状態でディジタルデータを記録する記録媒体としては、従来、ＭＤ（Ｍｉｎｉ  Ｄｉｓｃ）が知られている。ＭＤは、１４０ＭＢの記録容量を有している。ＭＤには、ディジタル音声データが圧縮された形式で記録される。これにより、ＭＤには７５分程度の音声情報を記録することができる。音楽ＣＤを購入したユーザの多くは、音楽ＣＤに記録された１０数曲の音楽情報をＭＤに記録することを好む。このようにＭＤに記録された音楽情報を視聴する形態が広く普及している。
【０００３】
近年の光ディスク技術の進歩に伴い、ＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）のように大容量を有する書き換え可能な記録媒体が開発されている。ＤＶＤ−ＲＡＭは、４．７ＧＢの記録容量を有している。ＤＶＤ−ＲＡＭの記録容量は、ＭＤの記録容量の３０倍以上である。ＭＤには１０曲前後の音楽情報しか記録することができないのに対し、ＤＶＤ−ＲＡＭには１００曲以上の音楽情報を記録することが可能である。
【０００４】
さらに、近年のインターネット技術の普及により、ＰＣ（Ｐｅｒｓｏｎａｌ  Ｃｏｍｐｕｔｅｒ）を用いて、ホームページ上から好みの音楽データをダウンロードにより入手し、クレジットカードなどの決済手段を通じて支払いを行なう、いわゆるＥＣ（Ｅｌｅｃｔｒｏｎｉｃ  Ｃｏｍｍｅｒｃｅ：電子商取引）による音楽流通が広がりつつある。このようなインターネットを通じた音楽流通（以下、電子音楽配信と称する）とＤＶＤ−ＲＡＭとを組み合わせることにより、ユーザが非常に大量の音楽データを１つの記録媒体に簡単に記録することができる環境が整ってきている。
【０００５】
【発明が解決しようとする課題】
しかしながら、ＭＤに記録されている曲の再生順序を定義する情報（いわゆるＴＯＣ（Ｔａｂｌｅ  Ｏｆ  Ｃｏｎｔｅｎｔｓ））は、ＭＤ内に唯一しか存在しない。さらに、ＴＯＣは、ＭＤに記録されているすべての曲の再生順序を定義するために使用される。このように、ＭＤに記録されている一部の特定の曲についてその再生順序を定義することはできないという問題点があった。
【０００６】
また、ＭＤなどのディスクを再生する再生装置の中には、所定の曲のみを対象とし、これを所定の曲順で再生するプログラム再生機能を有するものもある。しかし、プログラム再生機能を用いてプログラムされた曲順は再生装置内に一時的に保持されるだけであり、再生されるディスクが交換された場合にはプログラムされた曲順を示す情報が消失する。このため、ユーザはディスクを再生するたびに毎回、曲順等のプログラムを行う必要がある。
【０００７】
また、そもそも、ＤＶＤ−ＲＡＭのような大容量の記録媒体に大量の曲が記録されると、その記録媒体に記録されている曲をユーザが把握することが困難になってくる。例えば、１００曲程度の曲が記録された記録媒体からユーザが複数の曲を選択し、その選択された複数の曲の再生順序をユーザが定義することは大変面倒であるという問題点があった。
【０００８】
本発明は、上記問題点に鑑みてなされたものであり、記録媒体に記録された大量の曲の中から、再生対象となる曲及びその再生順序を極めて簡便に指定でき、これらを再生することが可能な記録媒体、その記録装置およびその再生装置を提供することを目的とする。
【０００９】
【課題を解決するための手段】
本発明の配信システムは、再生経路情報を複数保持しているホストコンピュータと、前記再生経路情報および音楽データを記録媒体に記録する記録装置とを備え、前記再生経路情報および前記音楽データは該記録媒体から再生され、かつ、前記記録媒体に記録されている前記再生経路情報の再生順序に従って前記記録媒体に記録されている前記音楽データを再生する配信システムであって、前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、前記記録装置は、前記再生経路情報または前記音楽データの取得要求をユーザから受け付ける入力部と、前記再生経路情報および前記音楽データを外部から取得する通信部と、前記再生経路情報と前記音楽データを前記記録媒体に記録する記録部と、前記再生経路情報と前記音楽データを外部から取得し、前記記録媒体に記録することを制御する制御部と、を備え、前記入力部を通じて特定の前記再生経路情報の取得要求があった場合には、前記制御部は、前記ホストコンピュータと通信を行い所望の前記再生経路情報を取得するように前記通信部を制御するとともに、取得した前記再生経路情報を前記記録媒体に記録するように前記記録部を制御し、前記入力部を通じて前記記録媒体に記録されている前記再生経路情報における特定の前記音楽データの取得要求があった場合には、前記制御部は、前記再生経路情報内の前記アドレス情報に基づいて外部から所望の前記音楽データを取得するように前記通信部を制御するとともに、取得した前記音楽データを前記記録媒体に記録するように前記記録部を制御し、これにより、上記目的が達成される。
また、本発明の記録装置は、再生経路情報を複数保持しているホストコンピュータと、前記再生経路情報および音楽データを記録媒体に記録する記録装置とを備え、前記再生経路情報および前記音楽データは該記録媒体から再生され、かつ、前記記録媒体に記録されている前記再生経路情報の再生順序に従って前記記録媒体に記録されている前記音楽データを再生する配信システムにおける記録装置であって、前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、前記記録装置は、前記再生経路情報または前記音楽データの取得要求をユーザから受け付ける入力部と、前記再生経路情報および前記音楽データを外部から取得する通信部と、前記再生経路情報と前記音楽データを前記記録媒体に記録する記録部と、前記再生経路情報と前記音楽データを外部から取得し、前記記録媒体に記録することを制御する制御部と、を備え、前記入力部を通じて特定の前記再生経路情報の取得要求があった場合には、前記制御部は、前記ホストコンピュータと通信を行い所望の前記再生経路情報を取得するように前記通信部を制御するとともに、取得した前記再生経路情報を前記記録媒体に記録するように前記記録部を制御し、前記入力部を通じて前記記録媒体に記録されている前記再生経路情報における特定の前記音楽データの取得要求があった場合には、前記制御部は、前記再生経路情報内の前記アドレス情報に基づいて外部から所望の前記音楽データを取得するように前記通信部を制御するとともに、取得した前記音楽データを前記記録媒体に記録するように前記記録部を制御し、これにより、上記目的が達成される。
また、本発明の記録方法は、再生経路情報を複数保持しているホストコンピュータと、前記再生経路情報および音楽データを記録媒体に記録する記録装置とを備え、前記再生経路情報および前記音楽データは該記録媒体から再生され、かつ、前記記録媒体に記録されている前記再生経路情報の再生順序に従って前記記録媒体に記録されている前記音楽データを再生する配信システムにおいて、記録装置に適用される記録方法であって、前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、前記記録方法は、前記再生経路情報または前記音楽データの取得要求をユーザから受け付ける入力ステップと、前記再生経路情報および前記音楽データを外部から取得する通信ステップと、前記再生経路情報と前記音楽データを前記記録媒体に記録する記録ステップと、前記再生経路情報と前記音楽データを外部から取得し、前記記録媒体に記録することを制御する制御ステップと、を含み、前記入力ステップを通じて特定の前記再生経路情報の取得要求があった場合には、前記制御ステップは、前記ホストコンピュータと通信を行い所望の前記再生経路情報を取得するように前記通信ステップを制御するとともに、取得した前記再生経路情報を前記記録媒体に記録するように前記記録ステップを制御し、前記入力ステップを通じて前記記録媒体に記録されている前記再生経路情報における特定の前記音楽データの取得要求があった場合には、前記制御ステップは、前記再生経路情報内の前記アドレス情報に基づいて外部から所望の前記音楽データを取得するように前記通信ステップを制御するとともに、取得した前記音楽データを前記記録媒体に記録するように前記記録ステップを制御し、これにより、上記目的が達成される。
また、本発明のプログラム格納媒体は、再生経路情報を複数保持しているホストコンピュータと、前記再生経路情報および音楽データを記録媒体に記録する記録装置とを備え、前記再生経路情報および前記音楽データは該記録媒体から再生され、かつ、前記記録媒体に記録されている前記再生経路情報の再生順序に従って前記記録媒体に記録されている前記音楽データを再生する配信システムにおいて、記録装置に適用される記録プログラムをコンピュータに行わせるプログラムを格納したプログラム格納媒体であって、前記再生経路情報は、複数の音楽データの再生順序を定義する情報であって、前記複数の音楽データそれぞれの入手先を示すアドレス情報を含んでおり、当該アドレス情報は、前記音楽データを前記記録媒体に記録する際に用いる情報であり、前記記録プログラムは、前記再生経路情報または前記音楽データの取得要求をユーザから受け付ける入力ステップと、前記再生経路情報および前記音楽データを外部から取得する通信ステップと、前記再生経路情報と前記音楽データを前記記録媒体に記録する記録ステップと、前記再生経路情報と前記音楽データを外部から取得し、前記記録媒体に記録することを制御する制御ステップと、を含み、前記入力ステップを通じて特定の前記再生経路情報の取得要求があった場合には、前記制御ステップは、前記ホストコンピュータと通信を行い所望の前記再生経路情報を取得するように前記通信ステップを制御するとともに、取得した前記再生経路情報を前記記録媒体に記録するように前記記録ステップを制御し、前記入力ステップを通じて前記記録媒体に記録されている前記再生経路情報における特定の前記音楽データの取得要求があった場合には、前記制御ステップは、前記再生経路情報内の前記アドレス情報に基づいて外部から所望の前記音楽データを取得するように前記通信ステップを制御するとともに、取得した前記音楽データを前記記録媒体に記録するように前記記録ステップを制御し、これにより、上記目的が達成される。
【００２０】
【発明の実施の形態】
以下、図面を参照しながら、本発明の実施の形態を説明する。
【００２１】
なお、以下の説明では、記録再生の対象となるデータを音楽データに限定して説明を行うが、もちろんこれに限定されるものではない。記録再生の対象となるデータは任意のディジタルデータであり得る。例えば、記録再生の対象となるデータは、画像データ、テキストデータ、または、これらを組み合わせることによって得られるデータであってもよい。
【００２２】
（実施の形態１）
図１は、本発明の実施の形態１の記録媒体１０６に記録されるディジタルデータの構造を示す。記録媒体１０６は、典型的には、ＤＶＤ−ＲＡＭのように読み書き可能な光ディスクである。ＤＶＤ−ＲＡＭは、セクタ構造を有している。各セクタは２ＫＢのディジタルデータを格納する。ＤＶＤ−ＲＡＭは、複数のセクタをファイルとして管理するためのファイル・システム情報を所定のセクタ群に格納する。ＤＶＤ−ＲＡＭで採用されるファイル・システムはＩＳＯ１３３４６で規定されるファイルシステムに準拠している。
【００２３】
本発明では、ディジタルデータは、ファイルの形式で記録媒体１０６に格納される。ファイルは、データ管理部２０１と、曲データ部２０２とを含む。
【００２４】
データ管理部２０１は、記録媒体１０６に記録されている曲データ２０５を管理する曲データ管理部２０３と、記録媒体１０６に記録されている再生経路情報２１１を管理する再生経路情報管理部２０４とを含む。
【００２５】
曲データ部２０２には、Ｎ個の曲データ２０５（すなわち、曲データ＃１〜曲データ＃Ｎ）が記録されている。ここで、０≦Ｎ≦９９９である。曲データは、例えば、ＬＰＣＭ（Ｌｉｎｅａｒ  Ｐｕｌｓｅ  Ｃｏｄｅ  Ｍｏｄｕｌａｔｉｏｎ）形式で記録された音楽データであり得る。
【００２６】
曲データ管理部２０３には、記録媒体１０６に記録されているＮ個の曲データ２０５（すなわち、曲データ＃１〜曲データ＃Ｎ）を管理するための情報が記録される。すなわち、曲データ管理部２０３には、曲データ２０５の数を示す曲数２０６と、曲データ２０５のインデックス番号２０７と、曲データ２０５のＩＳＲＣ情報２０８と、曲データ２０５の記録アドレス２０９とが記録される。
【００２７】
曲数２０６は、記録媒体１０６に記録されている曲データ２０５の数を示す。従って、記録媒体１０６に曲データ２０５が最大９９９曲まで記録することができる場合には、曲数２０６は、０以上９９９以下の整数値を取る。
【００２８】
インデックス番号２０７は、曲データ２０５を参照するために曲データ２０５ごとに定義されている。例えば、曲データ＃１のインデックス番号２０７は「１」であり、曲データ＃Ｎのインデックス番号２０７は「Ｎ」である。インデックス番号２０７は、曲データ２０５を再生する場合において、記録媒体１０６に記録されている曲データ＃１〜曲データ＃Ｎのうち再生されるべき曲データを特定するために使用される。
【００２９】
ＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）情報２０８は、曲データ２０５を識別するための固有の識別情報である。ＩＳＲＣ情報２０８は、曲データ２０５ごとにユニークに割り当てられる。ＩＳＲＣ情報２０８は、例えば、国コード（２つのＡＳＣＩＩ文字）、記録年（２桁の数字）、シリアル番号（５桁の数字）によって構成される。
【００３０】
記録アドレス２０９は、記録媒体１０６に記録されている曲データ２０５の位置を示す情報である。記録アドレス２０９は、記録開始アドレスと記録終了アドレスとを含む。
【００３１】
ここで、曲データ管理部２０３によって管理される情報は、ＭＤにおけるＴＯＣ（Ｔａｎｌｅ  ｏｆ  ｃｏｎｔｅｎｔｓ）に相当する。ＭＤでは、ＴＯＣによって、ＭＤに記録されているすべての曲の再生順序が定義される。
【００３２】
再生経路情報管理部２０４には、記録媒体１０６に記録されているＭ個の再生経路情報２１１（すなわち、再生経路情報＃１〜再生経路情報＃Ｍ）を管理するための情報が記録される。すなわち、再生経路情報管理部２０４には、記録媒体１０６に記録されている再生経路情報の数を示す再生経路情報数２１０と、Ｍ個の再生経路情報２１１（すなわち、再生経路情報＃１〜再生経路情報＃Ｍ）とが記録される。ここで、０≦Ｍ≦９９９である。
【００３３】
再生経路情報２１１は、記録媒体１０６に記録されているＮ個の曲データ２０５のうち所定の数の曲データ２０５の再生順序を定義する。その所定の数はＮには限定されない。その所定の数は０以上Ｎ以下の任意の整数である。例えば、再生経路情報＃１は、曲データ＃１〜曲データ＃３に対して、「曲データ＃１→曲データ＃２→曲データ＃３」という再生順序を定義する。また、再生経路情報＃２は、曲データ＃３〜曲データ＃６に対して、「曲データ＃５→曲データ＃３→曲データ＃６→曲データ＃４」という再生順序を定義する。
【００３４】
ここで、再生経路情報管理部２０４によって管理される情報は、少なくとも、曲データ２０５の再生順序を定義する情報を複数個保持することができるという点と、記録媒体１０６に記録されているＮ個の曲データ２０５のうち所定の数の曲データ２０５についてのみ再生順序を定義することができるという点とにおいて、ＭＤにおけるＴＯＣとは異なっている。さらに、後述されるように、記録媒体１０６に記録されていない曲データ２０５の再生順序を定義することができる点においても、再生経路情報管理部２０４によって管理される情報とＭＤにおけるＴＯＣとは異なっている。
【００３５】
再生経路情報２１１は、曲数２１２と、再生経路情報名２１３と、曲番号＃１〜曲番号＃Ｌの属性情報２１４とを含む。属性情報２１４のエントリー順序が再生順序を示す。例えば、曲１、曲５、曲３の順序で属性情報２１４がエントリーされている場合には、再生装置は、曲１、曲５、曲３の順序で再生することになる。
【００３６】
曲数２１２は、再生経路情報２１１に含まれる曲数Ｌを示す。ここで、１≦Ｌ≦９９９である。
【００３７】
再生経路情報名２１３は、再生経路情報２１１の名称を表す文字情報である。この再生経路情報名２１３は、例えば、再生時にディスプレイ上に表示される。
【００３８】
属性情報２１４は、曲の属性を示す情報である。属性情報２１４は、ＩＳＲＣ情報２１５と、曲名２１６と、歌手名２１７と、記録済みフラグ２１８と、インデックス番号２１９と、ＵＲＬ情報２２０と、圧縮形式情報２２１と、チャネル数２２２とを含む。
【００３９】
以下、属性情報２１４に含まれる各項目について説明する。
【００４０】
ＩＳＲＣ情報２１５は、曲データ２０５を識別するための固有の識別情報である。ＩＳＲＣ情報２１５は、上述したＩＳＲＣ情報２０８と同一の構造を有している。ＩＳＲＣ情報２１５は、ＩＳＲＣ情報２０８と比較するために使用される。
【００４１】
曲名２１６、歌手名２１７は、それぞれ、曲名、歌手名を示す文字情報である。
【００４２】
記録済みフラグ２１８は、曲データが記録媒体１０６に記録されているかどうかを示す情報である。例えば、曲番号＃１に対応する曲データが記録媒体１０６に記録されていない場合には、曲番号＃１の属性情報２１４の記録済みフラグ２１８は値「０」を有する。曲番号＃１に対応する曲データが記録媒体１０６に記録されている場合には、曲番号＃１の属性情報２１４の記録済みフラグ２１８は値「１」を有する。記録済みフラグ２１８により、記録媒体１０６に記録されていない曲データを含む再生経路情報２１１を定義することが可能となる。
【００４３】
インデックス番号２１９は、曲データが記録媒体１０６に記録されている場合にはその曲データのインデックス番号２０７と同一の値を有し、曲データが記録媒体１０６に記録されていない場合には値「０」を有する。曲データが記録媒体１０６に記録されている場合には、インデックス番号２１９と同一の値を有するインデックス番号２０７を検索し、検索されたインデックス番号２０７に対応する曲データの記録アドレス２０９を特定することにより、曲データの記録位置を特定することが可能になる。このようにして、再生時に、再生すべき曲データを取り出すことができる。
【００４４】
ＵＲＬ情報２２０は、曲データの入手先を示す情報である。ＵＲＬ情報２２０は、例えば、ＵＲＬ（Ｕｎｉｆｏｒｍ  Ｒｅｓｏｕｒｃｅ  Ｌｏｃａｔｏｒ）という記述様式で記述される。ＵＲＬは、Ｉｎｔｅｒｎｅｔ上のリソースのロケーションを指し示す記述様式である。これにより、インターネット経由で曲を入手することが可能になる。しかし、ＵＲＬ情報２２０の記述様式はＵＲＬに限定されない。ＵＲＬ情報２２０は、曲データの入手先を示す任意の記述様式で記述され得る。ＵＲＬ情報２２０によって、曲データが記録媒体１０６に記録されていない場合でも、その曲データの入手先を特定することが可能となる。
【００４５】
圧縮形式情報２２１は、曲データの圧縮形式を示す情報である。圧縮形式としては、例えば、ＬＰＣＭ形式、ＡＡＣ（Ａｄｖａｎｃｅ  Ａｕｄｉｏ  Ｃｏｄｉｎｇ）形式、ＭＰ３（ＭＰＥＧ  １  Ｌａｙｅｒ  ３）形式などがある。例えば、圧縮形式情報２２１の値「０」はＬＰＣＭ形式を示し、圧縮形式情報２２１の値「１」はＡＡＣ形式を示し、圧縮形式情報２２１の値「２」はＭＰ３形式を示す。
【００４６】
チャネル数２２２は、曲データのチャネル数を示す情報である。例えば、チャネル数２２２の値「２」は２ｃｈを示し、チャネル数２２２の値「６」は６ｃｈを示す。
【００４７】
なお、属性情報２１４の内容は、上述した項目のみに限定されない。例えば、属性情報２１４は、ビットレートや量子化数などを示す情報を含んでいてもよい。
【００４８】
このように、図１に示されるディジタルデータの構造によれば、複数の再生経路情報２１１を記録することにより、複数の再生順序を定義することができる。さらに、記録媒体１０６に記録されている一部の曲データについて再生順序を定義することができる。このことは、記録媒体１０６に記録されている大量の曲データのなかからユーザが好みの曲データについて好みの再生順序を定義することを可能にする。
【００４９】
また、記録済みフラグ２１８を設けたことにより、再生経路情報２１１によって再生順序が定義される曲データが記録媒体１０６に記録されているか否かを判定することが可能となる。これにより、再生経路情報２１１を用いて、記録媒体１０６に記録されていない曲データの再生順序を定義することが可能になる。さらに、ＵＲＬ情報２２０を用いて、記録媒体１０６に記録されていない曲データを入手することが可能になる。
【００５０】
（実施の形態２）
図２は、本発明の実施の形態２の記録装置１００の構成を示す。記録装置１００は、典型的には、コンピュータ（例えば、パーソナルコンピュータ）である。記録装置１００は、入力部１０１と、表示部１０２と、通信部１０３と、制御部１０４と、記録部１０５と、取り出し部１０７とを含む。
【００５１】
記録媒体１０６は、実施の形態１で説明した記録媒体である。記録媒体１０６には、図１に示される構造を有するディジタルデータが記録され得る。記録媒体１０６としては、ＤＶＤ−ＲＡＭが好適である。記録媒体１０６は、記録部１０５と取り出し部１０７とによってアクセスされる。
【００５２】
記録装置１００に含まれる各部の機能は、コンピュータにおいてプログラムを実行することによって実現され得る。このようなプログラムは、フロッピー（登録商標）ディスクやＣＤ−ＲＯＭなどのプログラム格納媒体に記録された形式で提供され得る。このようにして提供されたプログラムをコンピュータにインストールすることにより、コンピュータを記録装置１００として動作させることが可能になる。
【００５３】
なお、記録装置１００に含まれる各部の機能の一部または全部をハードウェアを用いて実現してもよい。
【００５４】
以下、記録装置１００に含まれる各部の機能を説明する。
【００５５】
入力部１０１は、ユーザからの指示を受け付ける。ユーザからの指示としては、例えば、再生経路情報の記録指示や、曲データの記録指示などがある。入力部１０１としては、キーボードやマウスなどの任意の入力機器が使用され得る。
【００５６】
表示部１０２は、再生経路情報などの情報をユーザに提示する。表示部１０２としては、ディスプレイなどの任意の表示機器が使用され得る。
【００５７】
通信部１０３は、ホストコンピュータ１０８と通信を行う。このような通信は、例えば、モデムを介して公衆回線を通じて行われる。通信部１０３は、例えば、曲データあるいは再生経路情報をホストコンピュータ１０８から記録装置１００にダウンロードするために使用される。
【００５８】
制御部１０４は、曲データが記録媒体１０６に既に記録されているかどうかを判定する。また、制御部１０４は、記録されるべきデータが、曲データか再生経路情報かを判定する。記録されるべきデータが曲データである場合には、制御部１０４は、その曲データを記録媒体１０６中の曲データ部２０２に記録するように記録部１０５に指示する。記録されるべきデータが再生経路情報である場合には、制御部１０４は、その再生経路情報を記録媒体１０６中のデータ管理部２０１に記録するように記録部１０５に指示する。
【００５９】
記録部１０５は、曲データまたは再生経路情報を記録媒体１０６に記録する。
【００６０】
取り出し部１０７は、記録媒体１０６に記録された曲データまたは再生経路情報を取り出す。
【００６１】
ホストコンピュータ１０８は、一般に、情報提供者側の機器に相当する。ホストコンピュータ１０８には、大容量の記録媒体が接続される。その記録媒体には、多数の曲データまたは再生経路情報が格納される。
【００６２】
以下、再生経路情報を入手する方法を説明する。再生経路情報は、例えば、インターネットを通じて入手され得る。あるいは、雑誌の付録ＣＤ−ＲＯＭにて提供される再生経路情報を入手してもよい。あるいは、記録媒体１０６に記録されている曲データをもとに、ユーザが再生経路情報を新規に作成することも可能である。ここでは、インターネットを通じて再生経路情報を入手する方法を説明する。
【００６３】
例えば、情報提供者は、再生経路情報をホストコンピュータ１０８に格納し、図３に示すような情報を再生経路情報として自社のホームページにて提供する。図３において、タイトル名３０１は、特定アーティストのアルバムのタイトル名を示す。ジャンル３０２は、タイトルが属するジャンルを示す。ジャンルとしては、例えば、「ポップス」、「ＢＧＭ」、「演歌」などがある。収録時間３０３は、タイトルに含まれる曲の総収録時間を示す。
【００６４】
なお、これらの情報はあくまで一例であり、他に、ユーザの購買意欲を促す情報を提供することができる。例えば価格、圧縮形式などの情報を必要に応じて提供してもよいし、アルバムのジャケットを画像情報として提供してもよい。さらに、曲データを、あるアーティストのアルバム単位ではなく、情報提供者が好む任意の単位で提供できることはもちろんである。
【００６５】
ユーザは、情報提供者の開設するホームページにアクセスする。これにより、記録装置１００は、１以上の再生経路情報を通信部１０３を通じてホストコンピュータ１０８から入手することができる。入手された１以上の再生経路情報は、表示部１０２に表示される。
【００６６】
ユーザは、表示部１０２に表示された１以上の再生経路情報から、所望の再生経路情報を選択する。このような選択は、例えば、所望の再生経路情報を入力部１０１（例えば、マウス）を用いて指定することによって行われる。選択された再生経路情報に関する詳細な情報を通信部１０３を通じてホストコンピュータ１０８から得ることができる。選択された再生経路情報に関する詳細な情報は、表示部１０２に表示される。
【００６７】
図４は、図３に示される「タイトル１」の再生経路情報に関する詳細な情報の一例を示す。これは、「タイトル１」の再生経路情報に含まれる曲の一覧表を示す。
【００６８】
図４に示されるように、再生経路情報に関する詳細な情報は、曲名４０１、歌手名４０２、収録時間４０３、ＵＲＬ情報４０４を含む。なお、本実施の形態では、曲名４０１の表示順序が再生順序を示すものとする。すなわち、図４に示される例は、Ｓｏｎｇ１、Ｓｏｎｇ２、Ｓｏｎｇ３、Ｓｏｎｇ４の順に再生されることを示している。
【００６９】
これらの情報をもとに、ユーザは好みの再生経路情報を選択する。選択された再生経路情報は、通信部１０３を通じてホストコンピュータ１０８から記録装置１００にダウンロードされる。ダウンロードされた再生経路情報は、記録媒体１０６のデータ管理部２０１中の再生経路情報管理部２０４に記録される。
【００７０】
再生経路情報が記録媒体１０６に記録される際、再生経路情報数２１０の値が「１」だけ加算されるように更新される。これは、記録媒体１０６に記録されている再生経路情報の数が１だけ増加するためである。
【００７１】
このようにして、再生経路情報が入手され、入手された再生記録情報が記録媒体１０６に記録される。
【００７２】
次に、再生経路情報が記録媒体１０６に記録されていない曲データの再生順序を定義している場合において、その未記録の曲データを記録媒体１０６に記録する方法を説明する。
【００７３】
図５は、記録媒体１０６に記録されている「タイトル１」の再生経路情報に関する詳細な情報を表示部１０２に表示した例を示す。図５において、曲名５０１は、記録媒体１０６に記録されている再生経路情報２１１の曲名２１６を表示したものであり、歌手名５０２は、記録媒体１０６に記録されている再生経路情報２１１の歌手名２１７を表示したものであり、記録済みフラグ５０３は、記録媒体１０６に記録されている再生経路情報２１１の記録済みフラグ２１８を表示したものであり、ＵＲＬ情報５０４は、記録媒体１０６に記録されている再生経路情報２１１のＵＲＬ情報２２０を表示したものである。
【００７４】
記録媒体１０６に記録されている再生経路情報２１１は、取り出し部１０７によって取り出され、制御部１０４に出力される。
【００７５】
制御部１０４は、再生経路情報２１１の記録済みフラグ２１８を参照することにより、再生経路情報２１１によって再生順序が定義されているが記録媒体１０６に記録されていない曲データがあるか否かを判定する。例えば、図５に示されるＳｏｎｇ４は、「タイトル１」の再生経路情報２１１によって再生順序は定義されているが記録媒体１０６に記録されていない曲データに相当する。このような未記録の曲データが存在する場合には、その未記録の曲データをダウンロードするかどうかをユーザに尋ねるメッセージが表示部１０２に表示される。
【００７６】
ユーザは、曲データをダウンロードする場合には、入力部１０１を用いてダウンロード要求を出す。制御部１０４は、ダウンロード要求を受け取ると、記録媒体１０６に記録されている再生経路情報２１１内のＵＲＬ情報２２０を参照することにより曲データの入手先を特定し、通信部１０３を通じてホストコンピュータ１８にアクセスする。その結果、所望の曲データがダウンロードされる。
【００７７】
ダウンロードされた曲データは、記録部１０５によって記録媒体１０６の曲データ部２０２に記録される。さらに、記録部１０５は、曲データ管理部２０３中の曲数２０６の値を「１」だけ加算した値に更新し、インデックス番号２０７の値を更新後の曲数２０６の値として記録する。さらに、記録部１０５は、ダウンロードされた曲データの記録媒体１０６中の記録開始、終了位置を示す記録アドレス２０９を記録し、記録済みフラグ２１８の値とインデックス番号２１９の値とを書き換える。
【００７８】
以下、図６および図７を参照して、記録装置１００の動作を説明する。
【００７９】
図６は、再生経路情報を記録する動作と、再生経路情報中の曲データがすでに記録媒体中に記録されているかどうかをチェックする動作を示すフローチャートである。
【００８０】
まず、再生経路情報が入手され、入手された再生経路情報が再生経路情報２１１として記録媒体１０６に記録される（Ｓ６０１）。なお、再生経路情報は、記録装置１００の外部から入手されるものに限定されない。例えば、再生経路情報は、入力部１０１から入力されるユーザの指示に従って、新規に作成され得る。
【００８１】
取り出し部１０７は、再生経路情報２１１内の曲数２１２（以後、Ｌとする）を取り出し、再生経路情報２１１の曲数用カウンタ（以後、ｉとする）を初期化する（Ｓ６０２）。
【００８２】
制御部１０４は、曲数Ｌとカウンタｉとを比較する（Ｓ６０３）。この比較は、再生経路情報２１１によって再生順序が定義されるすべての曲データがチェックされているかどうかを判定することを意味する。
【００８３】
カウンタｉが曲数Ｌより大きいか等しい場合（すなわち、再生経路情報２１１によって再生順序が定義されるすべての曲データがチェックされている場合）には、未記録の曲のリストが表示部１０２に表示される（Ｓ６１０）。曲データが記録媒体１０６に記録されているか否かは、再生経路情報２１１の記録済みフラグ２１８の値を参照することによって判定される。記録済みフラグ２１８の値が「０」である場合には、曲データは記録媒体１０６に記録されていないと判定される。
【００８４】
一方、カウンタｉが曲数Ｌより小さい場合（すなわち、再生経路情報２１１によって再生順序が定義される少なくとも１つの曲データがチェックされていない場合）には、取り出し部１０７は、曲データ管理部２０３内の曲数２０６（以後、Ｎとする）を取り出し、曲データ管理部２０３の曲数用カウンタ（以後、ｊとする）を初期化する（Ｓ６０４）。
【００８５】
制御部１０４は、曲数Ｎとカウンタｊとを比較する（Ｓ６０５）。
【００８６】
カウンタｊが曲数Ｎより大きいか等しい場合（すなわち、再生経路情報２１１の特定の曲データが、記録媒体１０６に記録されているかどうかのチェックが終了した場合）には、カウンタｉが「１」だけインクリメントされ（Ｓ６０８）、再生経路情報２１１の次の曲データをチェックするために処理はＳ６０３に戻る。
【００８７】
一方、カウンタｊが曲数Ｎより小さい場合（すなわち、再生経路情報２１１の特定の曲データが、記録媒体１０６に記録されているかどうかのチェックが終了していない場合）には、再生経路情報２１１のＩＳＲＣ情報２１５と、曲データ管理部２０３のＩＳＲＣ情報２０８とが比較される（Ｓ６０６）。
【００８８】
ＩＳＲＣ情報２１５とＩＳＲＣ情報２０８とが異なることは、再生経路情報２１１の特定の曲データが記録媒体１０６に記録されていないことを意味する。従って、カウンタｊが「１」だけインクリメントされ（Ｓ６０７）、曲データ管理部２０３に記録されている次の曲データをチェックするために処理はＳ６０５に戻る。
【００８９】
一方、ＩＳＲＣ情報２１５とＩＳＲＣ情報２０８とが一致することは、再生経路情報２１１の特定の曲がすでに記録媒体１０６に記録されていることを意味する。従って、記録済みフラグ２１８の値が「０」から「１」に更新され、インデックス番号２１９の値が対応する曲データのインデックス番号２０７の値に更新される（Ｓ６０９）。その後、カウンタｉが「１」だけインクリメントされ（Ｓ６０８）、再生経路情報２１１の次の曲データをチェックするために処理はＳ６０３に戻る。
【００９０】
このようにして、再生経路情報２１１によって再生順序が定義される曲データが記録媒体１０６に記録されているかどうかのチェックが終了すると、記録済みフラグ２１８の値「０」に対応する曲データが未記録の曲データとして表示部１０２に表示される（Ｓ６１０）。
【００９１】
図７は、再生経路情報２１１によって再生順序が定義されているが記録媒体１０６に記録されていない曲データを記録媒体１０６に記録する動作を示すフローチャートである。
【００９２】
未記録の曲データに対してユーザから記録指示があったかどうかが判定される（Ｓ７０１）。ユーザからの記録指示は、入力部１０１から制御部１０４に入力される。
【００９３】
ユーザからの記録指示があった場合には、制御部１０４は、未記録の曲データに対応するＵＲＬ情報２２０に基づいてその未記録の曲データの入手先を特定する（Ｓ７０２）。制御部１０４は、特定した入手先の情報に基づいて、通信部１０３を介して所望の曲データをダウンロードする（Ｓ７０３）。
【００９４】
記録部１０５は、ダウンロードした曲データを記録媒体１０６における曲データ部２０２に記録し、ダウンロードした曲データの管理情報を更新する（Ｓ７０４）。すなわち、記録部１０５は、曲数２０６の値を「１」だけ加算し、インデックス番号２０７の値を曲数２０６の値とし、ＩＳＲＣ情報２０８の値と記録アドレス２０９の値とを書き込む。また、再生経路情報２１１中の記録済みフラグ２１８の値を記録済みを示す「１」に変更し、インデックス番号２１９の値をインデックス番号２０７の値に変更する。
【００９５】
未記録の曲データがまだ存在するかどうかが判定される（Ｓ７０５）。未記録の曲データがある場合には、処理はＳ７０１に戻る。
【００９６】
すべての未記録の曲データが記録媒体１０６に記録されるか（Ｓ７０５）、または、ユーザからの終了指示があると（Ｓ７０６）、処理を終了する。
【００９７】
（実施の形態３）
図８は、本発明の実施の形態３の再生装置８００の構成を示す。再生装置８００は、典型的には、携帯型の再生プレーヤである。再生装置８００は、入力部８０１と、制御部８０２と、表示部８０３と、取り出し部８０４と、再生部８０５とを含む。
【００９８】
記録媒体１０６は、実施の形態１で説明した記録媒体である。記録媒体１０６には、図１に示される構造を有するディジタルデータが記録され得る。記録媒体１０６は、取り出し部８０４によってアクセスされる。
【００９９】
なお、再生装置８００は、携帯型の再生プレーヤに限定されない。再生装置８００は、据え置き型のプレーヤでもよいし、実施の形態２で説明したようなパーソナルコンピュータでもよい。
【０１００】
入力部８０１は、ユーザからの指示を受け付ける。ここでは、ユーザからの指示は、再生、停止、早送り、巻き戻し、一時停止などの操作を指す。
【０１０１】
制御部８０２は、入力部８０１によって受け付けたユーザからの指示を解釈し、記録媒体１０６から適切なデータを取り出すことを取り出し部８０４に要求する。あるいは、制御部８０２は、再生を停止する。
【０１０２】
表示部８０３は、再生している再生経路情報名、曲名、再生経過時間などを表示する。ユーザは、これらの情報をもとに、入力部８０１を用いて所望の再生経路情報を選択する。
【０１０３】
取り出し部８０４は、記録媒体１０６から再生経路情報や、再生すべき曲データを取り出す。
【０１０４】
再生部８０５は、取り出し部８０４から取り出した曲データをデコードし、再生する。
【０１０５】
以下、図９を参照して、再生装置８００の動作を説明する。
【０１０６】
なお、再生装置８００は、再生経路情報２１１によって再生順序が定義されているが記録媒体１０６に記録されていない曲データがある場合には、その曲データをスキップして次の曲データを再生するものとする。
【０１０７】
取り出し部８０４は、記録媒体１０６に記録されている再生経路情報２１１を取り出し、再生経路情報２１１の再生経路情報名２１３のリストを表示部８０３に表示する（Ｓ９０１）。
【０１０８】
入力部８０１を介してユーザからの再生指示が入力されると（Ｓ９０２）、制御部８０２は、その再生指示を解釈し、選択された再生経路情報２１１を記録媒体１０６から取り出すことを取り出し部８０４に指示する。取り出し部８０４は、制御部８０２からの要求に従って、選択された再生経路情報２１１を記録媒体１０６から取り出す（Ｓ９０３）。
【０１０９】
制御部８０２は、取り出された再生経路情報２１１内の曲数２１２（以下、Ｌとする）を取得し、曲再生用のカウンタｋを初期化する（Ｓ９０４）。
【０１１０】
制御部８０２は、曲数Ｌとカウンタｋとを比較する（Ｓ９０５）。曲数Ｌよりカウンタｋが大きいか等しい場合には、再生すべき曲データがないと判定される。従って、処理は終了する。曲数Ｌよりカウンタｋが小さい場合には、再生すべき曲データがあると判定され、処理はＳ９０６に進む。
【０１１１】
制御部８０２は、記録済みフラグ２１８の値を参照することにより、再生すべき曲データが記録媒体１０６に記録されているかどうかを判定する（Ｓ９０６）。
【０１１２】
再生すべき曲データが記録媒体１０６に記録されていない場合には、制御部８０２は、その曲データの再生をスキップするように再生部８０５を制御する。
【０１１３】
再生すべき曲データが記録媒体１０６に記録されている場合には、取り出し部８０４は制御部８０２からの指示に従って、再生すべき曲データのインデックス番号２１９を取得する。さらに、取り出し部８０４は、取得したインデックス番号２１９と一致する曲データ管理部２０３内のインデックス番号２０７を取得し、インデックス番号２０７に対応する記録アドレス２０９に基づいて、記録媒体１０６に記録されている曲データ２０５を取り出す。取り出された曲データ２０５は、再生部８０５によってデコードされ再生される（Ｓ９０７）。
【０１１４】
曲データ２０５の再生が終了すると、カウンタｋが１だけインクリメントされ（Ｓ９０８）、次の曲データを再生するために処理はＳ９０５に戻る。
【０１１５】
このように、ユーザは、所望の再生経路情報を選択することができる。記録媒体１０６に記録されている曲データは、選択された再生経路情報２１１によって定義されている再生順序に従って再生される。記録媒体１０６に記録されていない曲データの再生はスキップされる。
【０１１６】
（実施の形態４）
図１０は、本発明の実施の形態４の編集装置１０００の構成を示す。編集装置１０００は、入力部１０１と、表示部１０２と、編集部１００１と、制御部１００２と、記録部１００３と、取り出し部１００４とを含む。
【０１１７】
なお、図１０において、実施の形態２の記録装置１００と同一の構成要素には同一の参照符号を付し、その説明を省略する。また、編集装置１０００の各部の機能を記録装置１００に組み込むことも可能である。
【０１１８】
編集部１００１は、入力部１０１を介して入力されるユーザからの編集指示に応じて、再生経路情報を編集する。ここで、編集指示とは、例えば、再生経路情報の新規作成、再生経路情報の削除、再生経路情報のコピー、さらには、再生経路情報の曲データの順番の入れ替えや再生経路情報の曲データの削除等のことを指す。
【０１１９】
制御部１００２は、編集部１００１によって編集された再生経路情報を受け取り、編集された再生経路情報を記録媒体中１０６に記録されている再生経路情報２１１のデータ構造にどのように反映させるかを解釈する。制御部１００２は、その解釈結果に基づいて、記録部１００３を制御する。
【０１２０】
記録部１００３は、制御部１００２の制御の下で、編集された再生経路情報を記録媒体１０６に記録されている再生経路情報２１１に反映させる。
【０１２１】
取り出し部１００４は、記録媒体１０６に記録されているデータ管理部２０１の情報を取得し、それを編集部１００１に供給する。
【０１２２】
以下、編集装置１０００の動作を説明する。
【０１２３】
取り出し部１００４は、記録媒体１０６に記録されている再生経路情報２１１を取り出す。取り出された再生経路情報２１１に含まれる情報（例えば、再生経路情報名２１３など）が表示部１０２に表示される。
【０１２４】
ユーザは、表示部１０２に表示された再生経路情報２１１のうち編集対象とする再生経路情報２１１を選択する。編集部１００１は、入力部１０１を介して入力される編集指示に応じて、選択された再生経路情報２１１を編集する。例えば、再生経路情報２１１によって定義される曲データの再生順序を入れ替えたり、再生経路情報２１１に曲データを追加するといった編集が行われ得る。追加の曲データは、例えば、記録媒体１０６に記録されている曲データからユーザによって選択された曲データであり得る。
【０１２５】
なお、記録媒体１０６に記録された再生経路情報２１１を取り出すことなく、編集部１００１が新規に再生経路情報を作成することも可能である。
【０１２６】
編集中の再生経路情報２１１によって定義される曲データの再生順序は、例えば、ツリー形式で表示部１０２に表示される。このように、曲データの再生順序を視覚的に表示することによってユーザが再生経路情報を編集することが容易になる。その結果、編集効率が向上する。
【０１２７】
図１１（ａ）は、編集中の再生経路情報を視覚的に表示した例を示す。図１１（ａ）において、矩形は曲データを示し、矩形と矩形とを結合する矢印は、曲データが再生される順序を示す。図１１（ａ）に示される例は、Ｓｏｎｇ１、Ｓｏｎｇ２、Ｓｏｎｇ３、Ｓｏｎｇ４の順に再生されることを示している。
【０１２８】
図１１（ｂ）は、編集モードの切り替えをユーザから受け付けるＧＵＩ（Ｇｒａｐｈｉｃａｌ  Ｕｓｅｒ  Ｉｎｔｅｒｆａｃｅ）を示す。このようなＧＵＩは、ツールボックスと呼ばれる。
【０１２９】
ここで、編集モードとしては、経路変更モードおよび曲データ追加モードの２種類の編集モードが用意されていると仮定する。図１１（ｂ）に示される矢印は、経路変更モードを示すアイコンである。図１１（ｂ）に示される矩形は曲データ追加モードを示すアイコンである。
【０１３０】
矢印アイコンの上でマウスのボタンをクリックすると、編集モードが曲データ追加モードから経路変更モードに切り替えられる。同様に、矩形アイコンの上でマウスのボタンをクリックすると、編集モードが経路変更モードから曲データ追加モードに切り替えられる。
【０１３１】
経路変更モードでは、入力部１０１（例えば、マウス）を用いて再生経路情報を変更することが可能になる。例えば、マウスのドラッグ＆ドロップ操作により、図１１（ａ）に示される矩形の位置を変更することができる。Ｓｏｎｇ１の矩形の上でマウスのボタンを押下することによってＳｏｎｇ１の矩形が選択される。マウスのボタンを押下したままマウスを移動させることによって選択されたＳｏｎｇ１の矩形の位置が変更される。選択されたＳｏｎｇ１の矩形がＳｏｎｇ３の矩形とＳｏｎｇ４の矩形とを結合する矢印の上に位置づけられ、その位置でマウスのボタンがリリースされた場合には、Ｓｏｎｇ３の矩形とＳｏｎｇ４の矩形との間にＳｏｎｇ１の矩形が挿入され、Ｓｏｎｇ３の矩形とＳｏｎｇ１の矩形とが矢印で結合され、Ｓｏｎｇ１の矩形とＳｏｎｇ４の矩形とが矢印で結合されるように編集画面が更新される。なお、Ｓｏｎｇ２の矩形の上方にもともと表示されていたＳｏｎｇ１の矩形は消去される。このようにして、Ｓｏｎｇ１、Ｓｏｎｇ２、Ｓｏｎｇ３、Ｓｏｎｇ４という再生順序が、Ｓｏｎｇ２、Ｓｏｎｇ３、Ｓｏｎｇ１、Ｓｏｎｇ４という再生順序に変更される。
【０１３２】
編集部１００１は、制御部１００２に曲データの再生順序が変更された旨のメッセージを伝達する。制御部１００２は、メッセージに応答して、記録媒体１０６に記録されている再生経路情報２１１の内容を書き換えるように記録部１００３に要求する。記録部１００３は、再生経路情報２１１の内容を書き換える。
【０１３３】
また、図１１（ａ）に示される矩形が選択されている状態において、キーボードまたはマウスから削除コマンドが入力された場合には、その選択されている矩形が再生経路から取り除かれる編集が行なわれる。
【０１３４】
同様に、編集モードが曲データ追加モードの場合には、マウスで指定した位置に新規の曲データが追加される。
【０１３５】
入力部１０１を介して曲データの追加要求が入力されると、取り出し部１００４は、記録媒体１０６に記録されている曲データ管理部２０３を取り出す。取り出された曲データ管理部２０３中の曲名２１６をもとに、図１１（ｃ）に示されるように追加の候補となる曲データが表示部１０２に表示される。ユーザは、表示部１０２に表示された曲データから所望の曲データを選択する。例えば、その所望の曲データは、図１１（ｃ）に示されるＳｏｎｇ５であり得る。
【０１３６】
曲データ追加モードにおいて、Ｓｏｎｇ４の後に再生されるようにＳｏｎｇ５が追加された場合には、編集部１００１は、制御部１００２に曲データの再生順序が変更された旨のメッセージを伝達する。制御部１００２は、メッセージに応答して、記録媒体１０６に記録されている再生経路情報２１１の内容を書き換えるように記録部１００３に要求する。記録部１００３は、再生経路情報２１１の内容を書き換える。
【０１３７】
なお、上述した実施の形態は、現状において最善の効果が期待できるシステムを例として説明したにすぎない。本発明の要旨を逸脱しない範囲で本発明を改変したものも本発明の範囲に含まれると解釈されるべきである。具体的には、以下に示すような改変は、本発明の範囲内である。
【０１３８】
上述した実施の形態では、記録媒体１０６をＤＶＤ−ＲＡＭなどの光ディスクとして説明を行なった。しかし、記録媒体１０６として、光ディスク以外の記録媒体（例えば、ハードディスク、半導体メモリなど）を使用することも可能である。
【０１３９】
また、上述した実施の形態では、曲データと再生経路情報とが同一の記録媒体１０６に記録されるとして説明を行った。しかし、曲データと再生経路情報とが異なる記録媒体に記録されてもよい。例えば、フロッピーディスク、ＣＤ−ＲＯＭやＤＶＤ−ＲＯＭなどの記録媒体に記録された再生経路情報を入手し、その中の所望の再生経路情報を選択することによって、所望の曲データをダウンロードし、ＤＶＤ−ＲＡＭなどの記録媒体に記録するという形態も可能である。
【０１４０】
上述した実施の形態では、記録再生の対象となるデータを音楽データに限定して説明を行った。しかし、記録再生の対象となるデータは任意のディジタルデータであり得る。例えば、記録再生の対象となるデータは、画像データ、テキストデータ、または、これらを組み合わせることによって得られるデータであってもよい。
【０１４１】
上述した実施の形態では、曲データとしてＬＰＣＭ形式のデータを使用した。しかし、曲データとしては任意の形式のデータを使用し得る。例えば、曲データとして、Ｄｏｌｂｙ−ＡＣ３、ＭＰＥＧオーディオ、ＭＩＤＩなどの形式のデータを使用することができる。
【０１４２】
上述した実施の形態では、記録媒体１０６に記録されている記録済みフラグ２１８の値に基づいて曲データが記録媒体１０６に記録されているかどうかを判定し、曲データが記録媒体１０６に記録されていないと判定された場合に記録装置１００の外部から曲データを入手し、その入手された曲データを記録媒体１０６に記録すると説明した。しかし、曲データが記録媒体１０６に記録されている場合に、その記録済みの曲データを記録装置の外部から入手した曲データに置き換えてもよい。
【０１４３】
例えば、記録媒体１０６に記録されている曲データが「試用バージョン」である場合には、その「試用バージョン」の曲データを「完全バージョン」の曲データに置き換えることが考えられる。「試用バージョン」の曲データは、「完全バージョン」の曲データの一部であったり、「完全バージョン」の曲データに比べて品質が劣っていたりするからである。あるいは、記録媒体１０６に既に記録されているデータに欠陥が生じた場合にも、その記録済みの曲データを記録装置１００の外部から入手した曲データに置き換えることが考えられる。
【０１４４】
編集装置１０００を用いて記録媒体１０６に記録されている曲データの中から所望の曲データを選択すれば、それらの曲データの再生順序は再生時にランダムに決定されるという再生方法を採用することも可能である。
【０１４５】
また、再生経路情報において、分岐を含む再生経路を定義できるようにしてもよい。再生経路に分岐（例えば、条件分岐）を設けることにより、１つの再生経路情報において２以上の再生経路を定義することが可能になる。例えば、その２以上の再生経路は、曲データの再生順序が異なっていてもよい。
【０１４６】
本発明の記録装置および再生装置は、コンピュータおよびコンピュータを実施の形態で示した再生装置および記録装置として実行させるためのプログラムとして実現してもよい。
【０１４７】
また、上述したプログラムはＣＤ−ＲＯＭやＤＶＤ−ＲＯＭ等のプログラム格納媒体に格納され市場を流通することになる。また、プログラム格納媒体は、ＣＤ−ＲＯＭ等のディスクメディアに限るものである。
【０１４８】
【発明の効果】
本発明によれば、複数のディジタルデータと複数の再生経路情報とが記録媒体に記録される。その複数の再生経路情報は、記録媒体に記録されている複数のディジタルデータの全ての再生順序を定義する第１の再生経路情報と、記録媒体に記録されている複数のディジタルデータのうちの少なくとも１つの再生順序を定義する第２の再生経路情報とを含む。このことは、記録媒体に記録されている大量のディジタルデータのなかからユーザが好みのディジタルデータについて好みの再生順序を定義することを可能にする。
【０１４９】
さらに、ディジタルデータの再生順序を定義する再生経路情報においてそのディジタルデータが記録媒体に記録されているか否かを示すフラグ情報を設けることにより、そのフラグ情報を用いてそのディジタルデータが記録媒体に記録されているか否かを判定することが可能となる。このことは、記録媒体に記録されていないディジタルデータの再生順序を定義することを可能にする。
【０１５０】
さらに、再生経路情報においてディジタルデータの入手先を示すアドレス情報を設けることにより、そのディジタルデータを容易に入手することが可能になる。特に、そのディジタルデータが記録媒体に記録されていない場合でも、そのアドレス情報を用いて記録装置の外部からディジタルデータを入手することが可能になる。
【図面の簡単な説明】
【図１】本発明の実施の形態１の記録媒体に記録されるディジタルデータの構造を示す図である。
【図２】本発明の実施の形態２の記録装置の構成を示すブロック図である。
【図３】ユーザに提示される再生経路情報の一例を示す図である。
【図４】ユーザに提示される再生経路情報に関する詳細な情報一例を示す図である。
【図５】記録媒体に記録されている再生経路情報に関する詳細な情報を表示した一例を示す図である。
【図６】記録装置における処理の手順を示すフローチャートである。
【図７】記録装置における処理の手順を示すフローチャートである。
【図８】本発明の実施の形態３の再生装置の構成を示すブロック図である。
【図９】再生装置における処理の手順を示すフローチャートである。
【図１０】本発明の実施の形態４の編集装置の構成を示すブロック図である。
【図１１】（ａ）〜（ｃ）は、編集画面の一例を示す図である。
【符号の説明】
１００  記録装置
１０１  入力部
１０２  表示部
１０３  通信部
１０４  制御部
１０５  記録部
１０６  記録媒体
１０７  取り出し部
１０８  ホストコンピュータ
２０１  データ管理部
２０２  曲データ部
２０３  曲データ管理部
２０４  再生経路情報管理部
２０５  曲データ
２０６  曲数
２０７  インデックス番号
２０８  ＩＳＲＣ情報
２０９  記録アドレス
２１０  再生経路情報数
２１１  再生経路情報
２１２  曲数
２１３  再生経路情報名
２１４  属性情報
２１５  ＩＳＲＣ情報
２１６  曲名
２１７  歌手名
２１８  記録済みフラグ
２１９  インデックス番号
２２０  ＵＲＬ情報
２２１  圧縮形式情報
２２２  チャネル数
８００  再生装置
８０１  入力部
８０２  制御部
８０３  表示部
８０４  取り出し部
８０５  再生部
１０００  編集装置
１００１  編集部
１００２  制御部
１００３  記録部
１００４  取り出し部
【図１】
0003773235.tif 000002
【図２】
0003773235.tif 000003
【図３】
0003773235.tif 000004
【図４】
0003773235.tif 000005
【図５】
0003773235.tif 000006
【図６】
0003773235.tif 000007
【図７】
0003773235.tif 000008
【図８】
0003773235.tif 000009
【図９】
0003773235.tif 000010
【図１０】
0003773235.tif 000011
【図１１】
0003773235.tif 000012